(57)【要約】【課題】主に、建物ユニットに対して製造上の負担を生じることなく入隅部に作用する隣接方向の力を受けさせることができるようにする。【解決手段】柱５と梁（天井梁６および床梁７）を有する直方体状の建物ユニット３，４が、入隅部１０を有して隣接配置され、  一方の建物ユニット３ａ，４ａが第一の梁部１１を有し、  他方の建物ユニット３ｂ，４ｂが第二の梁部１２、および、第一の梁部１１との間に入隅部１０を構成する第三の梁部１３とを有するユニット建物２に関する。  第一の梁部１１の中間部と、第二の梁部１２および第三の梁部１３のうちの少なくとも一方の端部との上部間を上部連結プレート２１で連結すると共に、  第一の梁部１１の中間部と第二の梁部１２の端部との下部間を下部連結プレート４１で連結するようにしている。【選択図】図２
2020133389.tif 000002
【特許請求の範囲】
【請求項１】
４本の柱の上端部間および下端部間をそれぞれ４本の梁で矩形状に連結して成る直方体状の建物ユニットが、入隅部を有して隣接配置され、
一方の建物ユニットが他方の建物ユニットと隣接する第一の梁部を有し、
他方の建物ユニットが前記第一の梁部と隣接する第二の梁部、および、該第二の梁部の端部に位置して、前記第一の梁部の中間部に垂直に突き当たるように配置されることで、前記第一の梁部との間に前記入隅部を形成する第三の梁部とを有するユニット建物であって、
前記第一の梁部の中間部と、前記第二の梁部の端部との上部間を上部連結プレートで連結したことを特徴とするユニット建物。
【請求項２】
請求項１に記載のユニット建物であって、
前記上部連結プレートが、上階の天井梁または床梁の上部に設けられていることを特徴とするユニット建物。
【請求項３】
４本の柱の上端部間および下端部間をそれぞれ４本の梁で矩形状に連結して成る直方体状の建物ユニットが、入隅部を有して隣接配置され、
一方の建物ユニットが他方の建物ユニットと隣接する第一の梁部を有し、
他方の建物ユニットが前記第一の梁部と隣接する第二の梁部、および、該第二の梁部の端部に位置して、前記第一の梁部の中間部に垂直に突き当たるように配置されることで、前記第一の梁部との間に前記入隅部を形成する第三の梁部とを有するユニット建物であって、
前記第一の梁部の中間部と前記第二の梁部の端部との下部間を下部連結プレートで連結したことを特徴とするユニット建物。
【請求項４】
請求項３に記載のユニット建物であって、
前記下部連結プレートが、下階の天井梁または床梁の下部に設けられていることを特徴とするユニット建物。
【請求項５】
４本の柱の上端部間および下端部間をそれぞれ４本の梁で矩形状に連結して成る直方体状の建物ユニットが、入隅部を有して隣接配置され、
一方の建物ユニットが他方の建物ユニットと隣接する第一の梁部を有し、
他方の建物ユニットが前記第一の梁部と隣接する第二の梁部、および、該第二の梁部の端部に位置して、前記第一の梁部の中間部に垂直に突き当たるように配置されることで、前記第一の梁部との間に前記入隅部を形成する第三の梁部とを有するユニット建物であって、
前記第一の梁部の中間部と、前記第二の梁部の端部との上部間を上部連結プレートで連結すると共に、
前記第一の梁部の中間部と前記第二の梁部の端部との下部間を下部連結プレートで連結したことを特徴とするユニット建物。
【請求項６】
請求項５に記載のユニット建物であって、
前記上部連結プレートが、上階の床梁の上部に設けられ、
前記下部連結プレートが、下階の天井梁の下部に設けられていることを特徴とするユニット建物。
【請求項７】
請求項１ないし請求項６のいずれか１項に記載のユニット建物であって、
前記入隅部を形成する前記第二の梁部が上階の床梁とされ、
前記第二の梁部と、前記第二の梁部の下に位置する下階の天井梁との間に、前記第二の梁部の端部または端部近傍を下側から支持するスペーサが介在され、
該スペーサは、隣接する下階の天井梁の上まで延びる延長部を有していることを特徴とするユニット建物。
【請求項８】
請求項７に記載のユニット建物であって、
前記スペーサは、前記第二の梁部の端部または端部近傍と、下に位置する前記下階の天井梁との間隔よりも厚くなっていることを特徴とするユニット建物。
【請求項９】
請求項８に記載のユニット建物であって、
前記スペーサは、金属板の面に弾性体を積層したものとなっていることを特徴とするユニット建物。
【請求項１０】
請求項７ないし請求項９のいずれか１項に記載のユニット建物であって、
下階の建物ユニットに対して上階の建物ユニットが、セットバックされることで、上階部分にのみ前記入隅部が形成されていることを特徴とするユニット建物。
【発明の詳細な説明】
【技術分野】
【０００１】
この発明は、ユニット建物に関するものである。
【背景技術】
【０００２】
住宅などの建物には、ユニット建物で構成されたものがある。ユニット建物は、予め工場で製造した建物ユニットを建築現場へ搬送して、建築現場で組み立てることによって短期間のうちに建物を構築し得るようにしたものである。
【０００３】
建物ユニットには、４本の柱の上端部間および下端部間をそれぞれ４本の梁（天井梁および床梁）で矩形状に連結して成る直方体状のユニットフレームを備えたもの（鋼製ユニット）などがある（例えば、特許文献１、２参照）。
【先行技術文献】
【特許文献】
【０００４】
【特許文献１】特開平１１−３３６１９３号公報
【特許文献２】特開２００２−３５６９１９号公報
【発明の概要】
【発明が解決しようとする課題】
【０００５】
上記建物ユニットを、入隅部を形成するように隣接配置した場合、入隅部を形成する２つの建物ユニットのうちの一方の建物ユニットの内部に、入隅部のコーナー部の位置から隣接方向へ延びる補助梁を設けて、入隅部に作用する隣接方向の力を補助梁によって受けさせるようにしていた。しかし、このようした場合、建物ユニットの内部に補助梁を追加しなければならないため、建物ユニットの製造に負担が生じることになる。
【０００６】
そこで、本発明は、主に、上記した問題点を解決することを目的としている。
【課題を解決するための手段】
【０００７】
上記課題を解決するために、本発明は、
４本の柱の上端部間および下端部間をそれぞれ４本の梁で矩形状に連結して成る直方体状の建物ユニットが、入隅部を有して隣接配置され、
一方の建物ユニットが他方の建物ユニットと隣接する第一の梁部を有し、
他方の建物ユニットが前記第一の梁部と隣接する第二の梁部、および、該第二の梁部の端部に位置して、前記第一の梁部の中間部に垂直に突き当たるように配置されることで、前記第一の梁部との間に前記入隅部を形成する第三の梁部とを有するユニット建物であって、
前記第一の梁部の中間部と、前記第二の梁部の端部との上部間を上部連結プレートで連結したユニット建物を特徴とする。
【発明の効果】
【０００８】
本発明によれば、上記構成によって、建物ユニットに対して製造上の負担を生じることなく入隅部に作用する隣接方向の力を受けさせることができるようになる。
【図面の簡単な説明】
【０００９】
【図１Ａ】実施例にかかる、入隅部を有するユニット建物の斜視図である。
【図１Ｂ】変形例にかかる、入隅部を有するユニット建物の平面図である。
【図１Ｃ】他の変形例にかかる、入隅部を有するユニット建物の平面図である。
【図１Ｄ】別の変形例にかかる、入隅部を有するユニット建物の平面図である。
【図２】図１ＡのＡ部を拡大した斜視図である。
【図３】図２の平面図である。
【図４】図２の上部連結プレートの部分の縦断面図である。
【図５】入隅部を有する図１Ａとは別の構成のユニット建物の斜視図である。
【図６】図５のＢ部の上部を拡大した斜視図である。
【図７】図３と合わせて見られるように図６を左右反対勝手にした状態の平面図である。
【図８】図７の上部連結プレートおよび下部連結プレートの部分の縦断面図である。
【図９】この実施例にかかる、入隅部に作用する隣接方向の力を、建物ユニットの構成面で受けている様子を示すユニット建物の斜視図である。
【図１０】比較例にかかる、入隅部に作用する隣接方向の力を、補助梁によって受けている様子を示すユニット建物の斜視図である。
【図１１】図１０の補助梁の取付状態を示す縦断面図である。
【図１２】別の実施例にかかる、図５のＢ部の下部を拡大した斜視図である。
【図１３】図３、図７と合わせて見られるように図１２を左右反対勝手にした状態の底面図である。
【図１４】実施例にかかるセットバックによる入隅部を有するユニット建物の斜視図である。
【図１５】図１４の部分拡大斜視図である。
【図１６】図１５のＣ部の断面図である。
【図１７】スペーサの端面図である。
【図１８】別のスペーサの端面図である。
【図１９】比較例にかかるセットバックによる入隅部を有するユニット建物の斜視図である。
【図２０】セットバックによる入隅部を有するユニット建物のプランの実例を示す斜視図である。
【発明を実施するための形態】
【００１０】
以下、本実施の形態を、図面を用いて詳細に説明する。
図１Ａ〜図２０は、この実施の形態を説明するためのものである。
【００１１】
図１Ａに示すように、住宅などの建物１を、ユニット建物２で構成する。ユニット建物２は、予め工場で製造した建物ユニット３，４を建築現場へ搬送して、建築現場で組み立てることによって短期間のうちに建物１を構築し得るようにしたものである。
【００１２】
そして、建物ユニット３，４を、それぞれ４本の柱５の上端部間および下端部間をそれぞれ４本の梁（天井梁６および床梁７）で矩形状に連結して成る直方体状のユニットフレームを有する鋼製ユニットとする。
【００１３】
例えば、複数階層のユニット建物２の場合、基礎の上に下階の建物ユニット３が設置され、下階の建物ユニット３の上に上階の建物ユニット４が設置される。但し、ユニット建物２を３階以上とする場合には、下階の建物ユニット３と上階の建物ユニット４とは、相対的なものとなる。通常の場合、下階の建物ユニット３と上階の建物ユニット４とは、互いに同じ大きさとされ、互いに位置を揃えた状態で上下に積層される。但し、下階の建物ユニット３と上階の建物ユニット４とには、大きさの異なるものを上下に積層したり、互いに位置をズラして上下に積層したりしたものなども存在している。以下の実施例では、主に、下階の建物ユニット３と上階の建物ユニット４とを、互いに同じ大きさとし、互いに位置を揃えた状態で上下に積層したものの例として説明する。
【００１４】
この場合、基礎の周辺には、下階の建物ユニット３の床面８が設置される。また、下階の建物ユニット３と上階の建物ユニット４との境界位置には、下階の建物ユニット３の天井面９と、上階の建物ユニット４の床面８とが上下に重なった状態で設置される。そして、最上階の建物ユニット４の上部の位置（または屋根の位置）には、上階の建物ユニット４の天井面９が設置される。
【００１５】
そして、この実施の形態では、ユニット建物２を、建物ユニット３，４が、入隅部１０を有して隣接配置されるようにしている。
この際、入隅部１０を構成する一方の建物ユニット３ａ，４ａは、他方の建物ユニット３ｂ，４ｂと隣接する第一の梁部１１を有している。
また、他方の建物ユニット３ｂ，４ｂは、第一の梁部１１と隣接する第二の梁部１２、および、第二の梁部１２の端部に位置して、第一の梁部１１の長手方向の中間部に垂直に突き当たるように配置されることで、第一の梁部１１との間に入隅部１０を形成する第三の梁部１３を有している。
【００１６】
ここで、入隅部１０は、隣接する建物ユニット３ａ，３ｂまたは４ａ，４ｂが段違いになっている部分にできる凹んだ隅のことである。入隅部１０は、土地の形状に合わせて、例えば、異なる大きさの建物ユニット３ａ，３ｂまたは４ａ，４ｂを隣接配置する場合や、隣接方向１５と直交する方向１６に位置をズラした状態で建物ユニット３ａ，３ｂまたは４ａ，４ｂを隣接配置する場合（雁行配置）や、向きを異ならせた状態で建物ユニット３ａ，３ｂまたは４ａ，４ｂを隣接配置する場合などに生じ得る。なお、図１Ａは、ユニット建物２における、建物ユニット３ａ，３ｂおよび４ａ，４ｂの位置を、隣接方向１５と直交する方向１６にズラすことで、平面的に見て合計２箇所の入隅部１０を形成したものとなっている。２箇所の入隅部１０は、上下階に亘って連続して形成されている。また、図１Ｂ〜図１Ｄは、入隅部１０を有するユニット建物２を、建物ユニット３，４の雁行配置などによって形成した例であり、それぞれ、平面的に見て合計４箇所（図１Ｂ）または２箇所（図１Ｃ、図１Ｄ）の入隅部１０を上下階に亘って連続して有するものとなっている。入隅部１０を有するユニット建物２は、上記の他にも各種存在し得る。
【００１７】
そして、第一の梁部１１は、他方の建物ユニット３ｂ，４ｂに隣接している、一方の建物ユニット３ａ，４ａの天井梁６や床梁７のことである。
【００１８】
第二の梁部１２は、一方の建物ユニット３ａ，４ａに隣接している、他方の建物ユニット３ｂ，４ｂの天井梁６や床梁７のことである。第一の梁部１１と第二の梁部１２は、少なくとも一端部の位置が長手方向に対してズレた状態で、ほぼ平行に配置される。
【００１９】
第三の梁部１３は、第一の梁部１１の長手方向の範囲内に位置している、他方の建物ユニット３ｂ，４ｂの天井梁６や床梁７のことである。
【００２０】
なお、この実施例では、同じ大きさの建物ユニット３ａ，３ｂまたは４ａ，４ｂを隣接方向１５と直交する方向１６に位置をズラして隣接配置しているため、入隅部１０が反対側の２箇所に形成されることになる。そして、２箇所の入隅部１０は、隣接する建物ユニット３ａ，３ｂまたは４ａ，４ｂに対して、第一の梁部１１と、第二の梁部１２および第三の梁部１３とが逆の関係になっている。よって、一方の建物ユニット３ａ，４ａと他方の建物ユニット３ｂ，４ｂは、相対的なものであり、第一の梁部１１、第二の梁部１２および第三の梁部１３も、相対的なものである。
【００２１】
この実施例では、一方の建物ユニット３ａ，４ａが第一の梁部１１を有し、他方の建物ユニット３ｂ，４ｂが第二の梁部１２および第三の梁部１３を有するものとして説明しているが、他方の建物ユニット３ｂ，４ｂが第一の梁部１１を有し、一方の建物ユニット３ａ，４ａが第二の梁部１２および第三の梁部１３を有する場合についても同様である。また、特に図示しないが、異なる大きさの建物ユニット３ａ，３ｂまたは４ａ，４ｂを、片側の位置を揃えて隣接配置することで、反対側に１箇所の入隅部１０を有するユニット建物２を形成することができる。
【実施例１】
【００２２】
＜構成＞以下、この実施例の構成について説明する。
【００２３】
（１）図２（〜図４）に示すように、上記した入隅部１０を有するユニット建物２に対し、
第一の梁部１１の長手方向の中間部の上部と、第二の梁部１２の端部の上部との間を上部連結プレート２１で連結しても良い。
【００２４】
ここで、第一の梁部１１、第二の梁部１２および第三の梁部１３は、それぞれ、ほぼ垂直なウェブ部２３の上下端部から建物ユニット３，４の内方へ向かってほぼ水平に延びる上下のフランジ部（上フランジ部２４、下フランジ部２５）を有するほぼＣ字断面の部材などで構成されている。
【００２５】
上部連結プレート２１は、第一の梁部１１の上部（の上フランジ部２４）と第二の梁部１２の上部（の上フランジ部２４）との間に架設可能な幅寸法を有して、第一の梁部１１および第二の梁部１２に沿い所要の長さで延びる、ほぼ水平なほぼ矩形状の金属板などとされている。
【００２６】
そして、上部連結プレート２１は、第一の梁部１１の上部（の上フランジ部２４）と第二の梁部１２の上部（の上フランジ部２４）とに対し、ボルト、ナットなどの締結固定具２６，２７などを用いてほぼ上下方向に締結固定されている。この際、締結固定具２６，２７は、上部連結プレート２１と、第一の梁部１１の上部（の上フランジ部２４）との間、および、第二の梁部１２の上部（の上フランジ部２４）との間に対し、それぞれ単数または複数本取付けることができる。この場合には、締結固定具２６，２７を、それぞれ複数本ずつ取付けるようにしている。なお、締結固定具２６の設置位置や設置本数については、状況に応じて最適に設定することができる。
【００２７】
（２）図２（〜図４）に示すように、上部連結プレート２１は、上階の天井梁６の上部に設けられても良い。
または、図５、図６（〜図８）に示すように、上部連結プレート２１は、上階の床梁７の上部に設けられても良い。
【００２８】
ここで、図２（〜図４）の場合、上部連結プレート２１は、最上階の建物ユニット４（建物ユニット４ａ，４ｂ）の天井梁６の上フランジ部２４の上部間に、第一の梁部１１の長手方向の中間部と、第二の梁部１２の端部と、に跨るように取付けられている。
【００２９】
この際、上部連結プレート２１は、建物ユニット４ｂの柱５の頂面５ａにまで及ぶ長さとしても良い。
【００３０】
そして、上部連結プレート２１は、第一の梁部１１の上フランジ部２４と第二の梁部１２の上フランジ部２４および柱５の頂面５ａとに対してボルト、ナットなどの締結固定具２６，２７などによって上下方向に締結固定されている。上階の建物ユニット４の柱５の頂面５ａは、金属製のプレートで塞がれており、頂面５ａの中央部には、（例えば、建物ユニット３，４どうしの位置決めを行わせるための）位置決めピンを通せるようにした位置決め孔（ネジ孔）が設けられている。そして、締結固定具２７は、この位置決め孔に取付けるものとしている。
【００３１】
また、柱５と梁（天井梁６および床梁７）との接合部には、ジョイントピース２８が用いられている。そのため、梁（天井梁６および床梁７）の端部に上部連結プレート２１を取付ける場合には、間にジョイントピース２８が介在される場合がある。ジョイントピース２８は、ほぼ垂直なウェブ部と上下のフランジ部とを有するほぼＣ字断面の部材とされており、梁（天井梁６および床梁７）を内側に嵌合可能な大きさとされて、柱５の端部（上端部及び下端部）の側面に溶接固定されている。そして、ジョイントピース２８と梁（天井梁６および床梁７）の端部とは、ボルト固定や溶接固定などで固定される。このようなジョイントピース２８の部分に取付けるために、第一の梁部１１の上フランジ部２４と上部連結プレート２１との間には、ジョイントピース２８の上側のフランジ部とほぼ同じ厚みのスペーサ２９を介在させるのが好ましい。スペーサ２９は、上部連結プレート２１と別体に形成して介在設置するようにしても良いし、上部連結プレート２１の下面に予め固定して一体化しておいても良い。
【００３２】
次に、図５、図６（〜図８）の場合には、下階の建物ユニット３と上階の建物ユニット４との境界部分となる位置に上部連結プレート２１を設けるようにしている。
【００３３】
そして、上部連結プレート２１は、上階の建物ユニット４の床梁７の上フランジ部２４の上部間に、第一の梁部１１の長手方向の中間部と、第二の梁部１２の端部とに跨るように取付けられる。上部連結プレート２１は、上階の建物ユニット４の柱５まで及ばない長さ（ジョイントピース２８の上側に対して取付けられる長さ）とされている。
【００３４】
なお、その他の構成については、図２（〜図４）の最上階の建物ユニット４の天井梁６の場合とほぼ同様とすることができる。上部連結プレート２１は、上階の天井梁６の上部と、上階の床梁７の上部との一方または両方に設けることができる。
【００３５】
また、図２（〜図４）、および、図５、図６（〜図８）では、上部連結プレート２１を、上階の建物ユニット４の天井梁６や床梁７の上部に設けるようにしているが、構造的に可能であれば、上記に代えてまたは加えて、上部連結プレート２１は、下階の建物ユニット４の天井梁６および床梁７の上部の少なくとも一方に対して設けるようにしても良い。
【００３６】
＜効果＞この実施例によれば、以下のような効果を得ることができる。
【００３７】
（効果 １）一方の建物ユニット３ａ，４ａの第一の梁部１１の長手方向の中間部と、他方の建物ユニット３ｂ，４ｂの第二の梁部１２の端部との上部間を上部連結プレート２１で連結した。
【００３８】
これにより、図９に示すように、２つの建物ユニット３ａ，３ｂまたは４ａ，４ｂを、入隅部１０を有して隣接配置した場合の、入隅部１０に作用する隣接方向１５の力Ｆを、上部連結プレート２１を介して連結された２つの建物ユニット３ａ，３ｂまたは４ａ，４ｂのほぼ水平な構成面（天井面９や床面８の少なくとも１つ）によって面で受けさせることができるようになる。
【００３９】
なお、天井面９は、矩形状に組まれた天井梁６によって画成されており、矩形状の天井梁６の内部には、単数または複数本の横桟が、隣接方向１５に適宜設けられており、更に下面には、天井面材が取付けられることによって、面方向に対して必要十分な剛性を備えている。
【００４０】
また、床面８は、矩形状に組まれた床梁７によって画成されており、矩形状の床梁７の内部には、単数または複数本の横桟が、隣接方向１５に適宜設けられており、更に上面には、床面材が取付けられることによって、面方向に対して必要十分な剛性を備えている。
【００４１】
そのため、例えば、図１０、図１１の比較例に示すように、一方の建物ユニット３ａ，４ａの内部に、第三の梁部１３の延長線上に位置して入隅部１０のコーナー部の位置から隣接方向１５へ延びる補助梁３５を設けて、補助梁３５によって入隅部１０に作用する隣接方向１５の力Ｆを線で受ける必要をなくすことが可能になる。なお、補助梁３５と、他方の建物ユニット３ｂ，４ｂの下部との間は、水平ジョイント金具３６で連結されるようにしているが、水平ジョイント金具３６は、隣接する天井梁６の下部どうしを直接連結するものとはなっておらず、この実施例のように、入隅部１０に作用する隣接方向１５の力Ｆを一方の建物ユニット３ａの天井面９で受ける効果を得ることについては余り期待できない。
【００４２】
この実施例の場合、隣接する建物ユニット３ａ，３ｂまたは４ａ，４ｂの梁（天井梁６および床梁７）の上部間に上部連結プレート２１を取付けるだけで、入隅部１０に作用する隣接方向１５の力Ｆを２つの建物ユニット３ａ，３ｂまたは４ａ，４ｂのほぼ水平な構成面で受けることができるようになる。そのため、一方の建物ユニット３ａ，４ａの内部に補助梁３５を追加で設ける必要をなくすことができる（即ち、一方の建物ユニット３ａ，４ａを通常の構造のままとすることができる）。よって、その分、建物ユニット３，４に対する製造上の負担を軽減したり、建物ユニット３，４の製造コストを抑制したりできるようになる。また、補助梁３５が一方の建物ユニット３ａ，４ａの内部において配線の妨げなどとなるようなことなども防止できる。更に、入隅部１０を有して隣接配置される建物ユニット３ａ，３ｂまたは４ａ，４ｂに対する配置制限などもなくすことができる。
【００４３】
（効果 ２）上部連結プレート２１が、上階（の建物ユニット４）の天井梁６または床梁７の上部間に設けられても良い。これにより、上階の天井梁６の上部間や、上階の床梁７の上部間を、上部連結プレート２１で連結することで、入隅部１０に作用する隣接方向１５の力Ｆを上階の天井面９や床面８によって受けさせることができるようになる。
【００４４】
なお、図３中、３７は建物ユニット３，４に取付けられた外壁パネルである。
【実施例２】
【００４５】
＜構成＞以下、この実施例の構成について説明する。
【００４６】
（３）図１２、図１３（および図８）に示すように、上記した入隅部１０を有するユニット建物２に対し、
第一の梁部１１の長手方向の中間部の下部と第二の梁部１２の端部の下部との間を下部連結プレート４１で連結しても良い。
【００４７】
ここで、下部連結プレート４１は、第一の梁部１１の下部（の下フランジ部２５）と第二の梁部１２の下部（の下フランジ部２５）との間に架設可能な幅寸法を有して、
第一の梁部１１および第二の梁部１２に沿い所要の長さで延びる、ほぼ水平なほぼ矩形状の金属板などとされている。そして、下部連結プレート４１は、ボルト、ナットなどの締結固定具２６などによって第一の梁部１１の下部（の下フランジ部２５）と第二の梁部１２の下部（の下フランジ部２５）との間に上下方向に締結固定されている。
【００４８】
（４）下部連結プレート４１は、下階の天井梁６の下部に設けられても良い。
または、下部連結プレート４１は、下階の床梁７の下部に設けられても良い。
【００４９】
ここで、この実施例の場合、下部連結プレート４１は、最下階の建物ユニット３の床梁７の下フランジ部２５の下部間に、第一の梁部１１の長手方向の中間部と、第二の梁部１２の端部とに跨るように取付けられている。梁（天井梁６および床梁７）の端部と下部連結プレート４１との間には、ジョイントピース２８およびスペーサ２９を挟んでも良い。
【００５０】
なお、下部連結プレート４１は、下階の建物ユニット３と上階の建物ユニット４との境界部分に対して設ける場合においても、下階の建物ユニット３の天井梁６の下フランジ部２５の下部間に、第一の梁部１１の長手方向の中間部と、第二の梁部１２の端部とに跨るように取付けられる。下部連結プレート４１は、上部連結プレート２１を上下反転させたようなものとすることができる。
【００５１】
上記以外の構成については、実施例１とほぼ同様とすることができる。下部連結プレート４１は、下階の天井梁６の下部と、下階の床梁７の下部との一方または両方に設けることができる。
【００５２】
図１２（図１３）では、下部連結プレート４１を、下階の建物ユニット４の天井梁６や床梁７の下部に設けるようにしているが、構造的に可能であれば、上記に代えてまたは加えて、下部連結プレート４１を、上階の建物ユニット４の天井梁６および床梁７の下部の少なくとも一方に対して設けるようにしても良い。
【００５３】
＜効果＞この実施例によれば、以下のような効果を得ることができる。
【００５４】
（効果 ３）一方の建物ユニット３ａ，４ａの第一の梁部１１の長手方向の中間部と、他方の建物ユニット３ｂ，４ｂの第二の梁部１２の端部との下部間を下部連結プレート４１で連結した。
【００５５】
これにより、２つの建物ユニット３ａ，３ｂまたは４ａ，４ｂを、入隅部１０を有して隣接配置した場合の、入隅部１０に作用する隣接方向１５の力Ｆを、下部連結プレート４１を介して連結された２つの建物ユニット３ａ，３ｂまたは４ａ，４ｂのほぼ水平な構成面（天井面９や床面８の少なくとも１つ）によって面で受けさせることができるようになる。なお、その他の作用効果については、上記した実施例とほぼ同様である。
【００５６】
（効果 ４）下部連結プレート４１が、下階の天井梁６または床梁７の下部に設けられても良い。これにより、下階の天井梁６の間や、下階の床梁７の間を、下部連結プレート４１で連結して、入隅部１０に作用する隣接方向１５の力Ｆを下階の天井面９や床面８によって受けさせることができるようになる。
【実施例３】
【００５７】
＜構成＞以下、この実施例の構成について説明する。
【００５８】
（５）図８に示すように、上記した入隅部１０を有するユニット建物２に対し、
第一の梁部１１の長手方向の中間部の上部と、第二の梁部１２の端部の上部との間を上部連結プレート２１で連結すると共に、
第一の梁部１１の長手方向の中間部の下部と第二の梁部１２の端部の下部との間を下部連結プレート４１で連結しても良い。
【００５９】
ここで、上部連結プレート２１および下部連結プレート４１については、上記各実施例と同様である。上部連結プレート２１と下部連結プレート４１は、入隅部１０を有するユニット建物２における、同じ第一の梁部１１および第二の梁部１２の間や、異なる第一の梁部１１および第二の梁部１２の間に対し適宜混在させて用いることができる。
【００６０】
（６）上部連結プレート２１が、上階の床梁７の上部に設けられ、
下部連結プレート４１が、下階の天井梁６の下部に設けられても良い。
【００６１】
ここで、上部連結プレート２１および下部連結プレート４１は、下階の建物ユニット３と上階の建物ユニット４との境界部分における、上下に位置する上階の床梁７と下階の天井梁６とに対し、上下に離隔するように組み合わせた状態で両方同時に設けることができる。この場合、上部連結プレート２１は、上階の建物ユニット４の床梁７の上フランジ部２４の上部間に、第一の梁部１１の中間部と、第二の梁部１２の端部とに跨るように取付けられる。また、下部連結プレート４１は、下階の建物ユニット３の天井梁６の下フランジ部２５の下部間に、第一の梁部１１の中間部と、第二の梁部１２の端部とに跨るように取付けられる。
【００６２】
＜効果＞この実施例によれば、以下のような効果を得ることができる。
【００６３】
（効果 ５）一方の建物ユニット３ａ，４ａの第一の梁部１１の長手方向の中間部と、他方の建物ユニット３ｂ，４ｂの第二の梁部１２の端部との上部間を上部連結プレート２１で連結すると共に、一方の建物ユニット３ａ，４ａの第一の梁部１１の長手方向の中間部と、他方の建物ユニット３ｂ，４ｂの第二の梁部１２の端部との下部間を下部連結プレート４１で連結した。
【００６４】
これにより、２つの建物ユニット３ａ，３ｂまたは４ａ，４ｂを、入隅部１０を有して隣接配置した場合の、入隅部１０に作用する隣接方向１５の力Ｆを、上部連結プレート２１および下部連結プレート４１を介して連結された２つの建物ユニット３ａ，３ｂまたは４ａ，４ｂのほぼ水平な構成面（天井面９や床面８など）によって多重に受けさせることができるようになる。なお、その他の作用効果については、上記した実施例とほぼ同様である。
【００６５】
（効果 ６）上部連結プレート２１が、上階の床梁７の上部に設けられ、下部連結プレート４１が、下階の天井梁６の下部に設けられても良い。これにより、下階の建物ユニット３と上階の建物ユニット４との境界部分において、上階の床梁７の間を上部連結プレート２１で連結して、入隅部１０に作用する隣接方向１５の力Ｆを上階の床面８によって受けさせること、および、下階の天井梁６の間を下部連結プレート４１で連結して、入隅部１０に作用する隣接方向１５の力Ｆを下階の天井面９によって受けさせることを、同時に行わせ得るようになるため、より効果的となる。
【実施例４】
【００６６】
＜構成＞以下、この実施例の構成について説明する。
【００６７】
（７）図１４〜図１６に示すように、入隅部１０を形成する第二の梁部１２が上階の床梁７とされても良い。
第二の梁部１２と、第二の梁部１２の下に位置する下階の天井梁６との間に、第二の梁部１２の端部または端部近傍を下側から支持するスペーサ５１が介在されても良い。
スペーサ５１は、隣接する下階の天井梁６の上まで延びる延長部５２を有しても良い。
【００６８】
ここで、建物１（ユニット建物２）については、上記各実施例と同様のものとしても良いが、後述するように、上記各実施例とは異なるものとしても良い。
【００６９】
第二の梁部１２は、上階の建物ユニット４ｂのものとなっている。第二の梁部１２の下に位置する下階の天井梁６は、下階の建物ユニット３ｂ’のものとなっている。隣接する下階の天井梁６は、上階の建物ユニット４ａの第一の梁部１１の下に位置する下階の建物ユニット３ａのものとなっている。入隅部１０を形成する上階の建物ユニット４ａと上階の建物ユニット４ｂとの間には、上部連結プレート２１と下部連結プレート４１との少なくとも一方が設けられるのが好ましい。なお、下階の建物ユニット３ａと上階の建物ユニット４ａとの間、および、下階の建物ユニット３ｂ’と上階の建物ユニット４ｂとの間には、上下連結部５５が適宜設けられている。また、下階の建物ユニット３ａと下階の建物ユニット３ｂ’との間には、横連結部５６が設けられている。上下連結部５５や横連結部５６は、入隅部１０を形成していない部分に対して通常設けられているものである。
【００７０】
スペーサ５１は、下階の天井梁６の端部または端部近傍（上記各実施例の場合）や、中間部（この実施例の場合）の上部に設置される上下支持座である。延長部５２は、隣接方向１５へ延ばされて隣接する下階の天井梁６の中間部の上部に載置される支持面積拡大部である。スペーサ５１は、第二の梁部１２の端部のジョイントピース２８の下に設置されている。
【００７１】
スペーサ５１は、第二の梁部１２と、隣接する２つの下階の天井梁６との間に対して、例えば、介在状態で設置されても良いし、また、例えば、接着固定や溶接固定やボルト固定やクランプ固定などによって固定されても良い。
【００７２】
（８）図１６、図１７に示すように、スペーサ５１は、第二の梁部１２の端部または端部近傍と、下に位置する下階の天井梁６との間隔ｄよりも厚くなっていても良い（スペーサ５１の板厚ｔ＞間隔ｄ）。
【００７３】
ここで、スペーサ５１は、例えば、金属板などで構成することができる。スペーサ５１の板厚ｔは、上記した間隔ｄよりも僅かに大きくなっていれば良い。間隔ｄは、設計値であり、板厚ｔは、実際に設置したときの最大誤差を見込んだ分だけ大きくするのが好ましい。
【００７４】
なお、延長部５２については、第二の梁部１２を、隣接する下階の天井梁６にて下側から支持させられれば良いので、特に、隣接する下階の天井梁６と、その上に位置する第一の梁部との間隔よりも厚くする必要はない。スペーサ５１は、延長部５２を含めて均一肉厚のものなどとすることができる。
【００７５】
（９）図１８に示すように、スペーサ５１は、金属板６１の面に弾性体６２，６３を積層したものとしても良い。
【００７６】
ここで、金属板６１は、第二の梁部１２を受けることができれば、どのような材質のものとしても良い。金属板６１は、単体で上記した板厚ｔとなるようにしても良いし、弾性体６２，６３を含めて上記した板厚ｔとなるようにしても良い。
【００７７】
弾性体６２，６３は、金属板６１の上下両面に設けても良いし、金属板６１の上面または下面の少なくとも一方に対して設けても良いが、上下両面に設けるのが好ましい。弾性体６２，６３は、例えば、ゴム系の材料などで形成するのが好ましい。上下両面に設ける場合、弾性体６２，６３は、同じ材質のものとしても良いし、異なる材質のものとしても良い。弾性体６２，６３は、それぞれ単層材で構成しても良いし、多層材で構成しても良い。
【００７８】
また、弾性体６２，６３は、金属板６１の全面に設けても良いし、支持に必要な部分に対してのみ局所的に設けるようにしても良い。また、上下両面に設ける場合、弾性体６２，６３の厚み（α，β）は、同じ（α＝β）にしても良いし、異なる（α＞βまたはα＜β）ようにしても良い。
【００７９】
そして、スペーサ５１は、片面に弾性体６２（または弾性体６３）を有する場合の厚みｔ１や、両面に弾性体６２，６３を有する場合の厚みｔ２が、上記した間隔ｄよりも厚くなり、第二の梁部１２によって弾性体６２，６３が潰されたときの厚みが、上記した間隔ｄと同じかそれよりも僅かに厚くなるようにする。
【００８０】
（１０）図１４、図１５に示すように、下階の建物ユニット３ｂ’に対して上階の建物ユニット４ｂが、セットバックされることで、上階部分にのみ入隅部１０が形成されるようにしても良い。
【００８１】
ここで、セットバックとは、下階の建物ユニット３ｂ’に対して上階の建物ユニット４ａを、奥へズラして配置することである。この実施例では、上階の建物ユニット４ｂは、下階の建物ユニット３ｂ’に対して隣接方向１５と直交する方向１６へズラして配置されている。下階の建物ユニット３ｂ’については、隣接する下階の建物ユニット３ａと入隅部１０側の端部の位置を揃えた状態で配置されている。
【００８２】
＜効果＞この実施例によれば、以下のような効果を得ることができる。
【００８３】
（効果 ７）第二の梁部１２と、第二の梁部１２の下に位置する下階の天井梁６との間にスペーサ５１を介在させても良い。これにより、第二の梁部１２となる上階の床梁７の端部または端部近傍を、スペーサ５１を介して第二の梁部１２の下に位置する下階の天井梁６によって上下方向に受けさせることができる。
【００８４】
そして、スペーサ５１が、隣接する下階の天井梁６の上まで延びる延長部５２を有しても良い。これにより、入隅部１０を形成する第二の梁部１２の端部または端部近傍を、スペーサ５１の延長部５２を介して隣接する下階の天井梁６にも上下方向に受けさせることができる。そのため、第二の梁部１２の端部の荷重を、互いに隣接する２つの下階の建物ユニット３ａ，３ｂ’における互いに隣接する２本の天井梁６によって分散支持できるようになる。よって、上階の第二の梁部１２に対する支持剛性を上げると共に、下階の天井梁６のそれぞれの撓みを抑制することができる。
【００８５】
（効果 ８）スペーサ５１を、第二の梁部１２の端部または端部近傍と、下に位置する下階の天井梁６との間隔ｄよりも厚くしても良い。これにより、第二の梁部１２の端部または端部近傍を、上記した間隔ｄよりも厚手のスペーサ５１を介して下階の天井梁６にて確実に下から受けさせることができる。また、実際に設置されたときに設計値（間隔ｄ）と誤差が生じても、支障なく第二の梁部１２の端部または端部近傍を受けさせることができる。
【００８６】
（効果 ９）スペーサ５１は、金属板６１の面に弾性体６２，６３を積層したものとしても良い。これにより、金属板６１によって第二の梁部１２の端部を確実に支持すると共に、弾性体６２，６３によって、スペーサ５１に対する、第二の梁部１２の端部または端部近傍や、下に位置する下階の各天井梁６などとの当たりを和らげることや、スペーサ５１の位置ズレを防止することや、スペーサ５１による振動の伝達や騒音の発生などを防止することができる。
【００８７】
（効果 １０）下階の建物ユニット３ｂ’に対して上階の建物ユニット４ｂをセットバックさせることで上階部分にのみ入隅部１０を形成するようにしても良い。このようにした場合、下階の建物ユニット３ｂ’と入隅部１０を形成した上階の建物ユニット４ｂとの柱５の位置が一致しなくなるので、上階の建物ユニット４ｂの入隅部１０となる部分の柱５周辺を下階の建物ユニット３ｂ’に支持させるために、例えば、図１９に示すように、下階の建物ユニット３ｂ’における第二の梁部１２の端部の下の位置に中柱６５を設けたり、第二の梁部１２の下に沿って補強梁６６などを追加設置したりする必要が生じることになる。
【００８８】
これに対し、第二の梁部１２の端部または端部近傍を、スペーサ５１および延長部５２を介して第二の梁部１２の下に位置する下階の天井梁６および隣接する下階の天井梁６によって受けさせるようにすることで、中柱６５や補強梁６６などを不要化できる。そのため、上下方向に対して上階部分にのみ入隅部１０を有する構造が、安価に成立するので、例えば、図２０に示すような複雑な形状の建物１（ユニット建物２）を構成することができ、プラン自由度を向上することができる。
【符号の説明】
【００８９】
２    ユニット建物
３    下階の建物ユニット
３ａ  一方の建物ユニット
３ｂ  他方の建物ユニット
４    上階の建物ユニット
４ａ  一方の建物ユニット
４ｂ  他方の建物ユニット
５    柱
６    天井梁（梁）
７    床梁（梁）
１０  入隅部
１１  第一の梁部
１２  第二の梁部
１３  第三の梁部
１５  隣接方向
１６  直行する方向
２１  上部連結プレート
４１  下部連結プレート
５１  スペーサ５１
５２  延長部５２
６２  金属板６１
６３  弾性体
６４  弾性体
ｄ    間隔
ｔ    板厚
【図１Ａ】
2020133389.tif 000003
【図１Ｂ】
2020133389.tif 000004
【図１Ｃ】
2020133389.tif 000005
【図１Ｄ】
2020133389.tif 000006
【図２】
2020133389.tif 000007
【図３】
2020133389.tif 000008
【図４】
2020133389.tif 000009
【図５】
2020133389.tif 000010
【図６】
2020133389.tif 000011
【図７】
2020133389.tif 000012
【図８】
2020133389.tif 000013
【図９】
2020133389.tif 000014
【図１０】
2020133389.tif 000015
【図１１】
2020133389.tif 000016
【図１２】
2020133389.tif 000017
【図１３】
2020133389.tif 000018
【図１４】
2020133389.tif 000019
【図１５】
2020133389.tif 000020
【図１６】
2020133389.tif 000021
【図１７】
2020133389.tif 000022
【図１８】
2020133389.tif 000023
【図１９】
2020133389.tif 000024
【図２０】
2020133389.tif 000025